(57)【特許請求の範囲】
【請求項１】
ハウジングに形成された収容室の後方からターミナルを挿入し、該ターミナルを収容室内に係止して装着するコネクタにおいて、
前記ターミナルの挿入方向に向かって徐々に狭くなるテーパ面を有した係止部が前記収容室内の対向する側壁面に設けられ、
前記ターミナルの挿入の際に前記テーパ面と摺動して前記挿入方向と直交する方向に可撓するとともに該テーパ面を通過した後には弾性復帰して前記係止部に係止する係止板が、前記ターミナルの基板から対向して起立した側板を外側に湾曲させて設けられ、前記ターミナルを前記収容室に装着した状態で解除機能を有する上端が前記収容室の上部開口から突出するように形成されていることを特徴とするコネクタ。
【請求項２】
ハウジングに形成された収容室の後方からターミナルを挿入して、該ターミナルを収容室内に係止して装着するコネクタにおいて、
前記ターミナルの挿入方向に向かって徐々に狭くなるテーパ面を有した係止突起が前記収容室内の対向する側壁面に設けられ、
前記ターミナルの挿入の際に前記テーパ面と摺動して前記挿入方向と直交する方向に可撓する係止板が、前記ターミナルの基板から対向して起立した平板状の側板から構成されており、前記ターミナルが所定位置に挿入された際前記係止突起に係合する係止穴を該係止板に穿設し、前記ターミナルを前記収容室に装着した状態で解除機能を有する上端が前記収容室の上部開口から突出するように形成され、前記係止板が内側に倒された際前記ターミナルの基板に当接して前記係止板の弾性限度範囲を越えた倒れを阻止する過剰撓み防止片が前記係止板のそれぞれの側板の一部を内側に折曲して設けられていることを特徴とするコネクタ。
【発明の詳細な説明】
【０００１】
【産業上の利用分野】
本発明は、ターミナルをハウジングの収容室に係止して装着するコネクタに関する。
【０００２】
【従来の技術】
コネクタには雄ハウジングと雌ハウジングを嵌合し、両ハウジングに装着されたターミナル同士を接続して電気的導通を図るものがある。この種のコネクタで、ハウジングに係止する係止舌片を有したものの一例として例えば特開昭６３−８０４８９号公報記載のものを図１１〜図１３に基づいて説明する。
【０００３】
図１１はハウジングを破断した従来コネクタの分解斜視図、図１２はターミナルの図で（ａ）は正面図（ｂ）は側面図（ｃ）は背面図、図１３（ａ）、（ｂ）はターミナルの抜き出し前後におけるコネクタの断面図である。
コネクタ１は、絶縁材料で形成されたハウジング３と、ばね性を有する導電性金属で形成されたターミナル５とによって構成される。ハウジング３にはターミナル５を挿入する収容室７が複数形成され、収容室７の前端は相手コネクタのターミナルを受け入れる挿入開口９となる。収容室７には治具挿入溝１１が形成され、治具挿入溝１１は挿入開口９を介して外部へ開口する。治具挿入溝１１には係止凸部１３が形成され、係止凸部１３には後述するターミナル５の係止舌片が係止される。
【０００４】
一方、ターミナル５は、図１２に示すように、結線部１５と、相手コネクタのターミナルを受け入れる接続部１７とに大別して構成される。結線部１５には左右一対の側壁１９ａ、１９ｂが設けられ、側壁１９ａ、１９ｂは切欠２１を有している。側壁１９ａ、１９ｂの間には側壁１９ａ、１９ｂと垂直な一対の平行な圧接片２３ａ、２３ｂが設けられ、圧接片２３ａ、２３ｂは側部が切欠２１に係止されて倒れが防止される。圧接片２３ａ、２３ｂには電線２５の芯線と圧接接続される圧接スリット２７が形成される。また、結線部１５の後端には電線２５を挟持してターミナル５に固定する一対の挟着片２９ａ、２９ｂが設けられる。接続部１７には前方に延出して対向する二枚の接触片３１ａ、３１ｂと、この接触片３１ａ、３１ｂと直交して前方に延出する基板３３が設けられる。基板３３の中央には接触片３１ａ、３１ｂと反対側に切り起こされた片持ち梁状の係止舌片３５が形成され、係止舌片３５は上述したハウジング３の係止凸部１３に係止する。
【０００５】
このように構成された従来のコネクタでは、電線２５が結線されたターミナル５を収容室７に挿入し、挿入が所定位置までなされると、係止舌片３５が係止凸部１３に係止され、ターミナル５の収容室７からの抜き出しが規制され、ターミナル５がハウジング３に固定される。
また、このようにして組み込まれたターミナル５を交換などの理由で抜き出す場合には、図１３（ａ）、（ｂ）に示すように、解除治具３７の軸部３７ａを挿入開口９から治具挿入溝１１に挿入し、係止舌片３５を基板３３側に撓めることで、係止凸部１３との係止を解除し、この状態で、ターミナル５を反挿入方向に引くことで、ターミナル５を収容室７から抜き出していた。
【０００６】
【発明が解決しようとする課題】
近年、コネクタは、更なる高密度化且つ小型化が要求される傾向にある。
しかしながら、上述した従来のコネクタ１では、係止舌片３５を、基板３３の中央部分を切り起こすことで形成していたので、小型化によりターミナル５の幅ｗ（図１２参照）が小さくなると、係止舌片３５の幅ｓも小さくせざるを得ず、係止舌片３５の強度が低下し、係止力の低下、破損を招く虞れがあった。これに対し、係止舌片３５を大きくして係止力を高めれば、コネクタが肥大化するとともに、挿入性を悪化させ作業性を低下させることになった。
また、従来のコネクタ１では、解除治具３７の軸部３７ａを治具挿入溝１１に挿入して係止舌片３５の係止を解除していたので、特に小型のコネクタ１の場合では、図１４に示すように、誤って接続部１７に軸部３７ａを挿入し、接触片３１ａ、３１ｂを破損させてしまう虞れがあった。そして、このような解除構造では、係止舌片３５の係止解除のために、細い軸部３７ａを有した特殊な解除治具３７が必要となった。
更に、従来のコネクタ１では、ハウジング３の後部にリヤホルダ（図示せず）を装着し、ターミナル５の抜けを二重に防止し、ターミナル５の保持力を高めるものもあったが、その分、構造が複雑となり、且つコネクタ１が肥大化することとなった。
また、図１５に示すように、係止舌片３５が比較的大きく形成されたターミナル３９では、ターミナル３９の引き抜き作業時に、係止舌片３５に他の電線２５が挟まり、ターミナル３９と電線２５が絡まることで作業性を低下させる不具合もあった。
本発明は上記状況に鑑みてなされたもので、小型のターミナルにおいても大きな保持力が確保できるとともに、解除治具を用いず係止解除ができ、しかも、ターミナル引き抜き作業時に電線との絡まりが生じにくいコネクタを提供し、保持力、解除性、及び作業性の向上を図ることを目的とする。
【０００７】
【課題を解決するための手段】
上記目的を達成するための本発明に係るコネクタは、ハウジングに形成された収容室の後方からターミナルを挿入し、該ターミナルを収容室内に係止して装着するコネクタにおいて、前記ターミナルの挿入方向に向かって徐々に狭くなるテーパ面を有した係止部が前記収容室内の対向する側壁面に設けられ、前記ターミナルの挿入の際に前記テーパ面と摺動して前記挿入方向と直交する方向に可撓するとともに該テーパ面を通過した後には弾性復帰して前記係止部に係止する係止板が、前記ターミナルの基板から対向して起立した側板を外側に湾曲させて設けられ、前記ターミナルを前記収容室に装着した状態で解除機能を有する上端が前記収容室の上部開口から突出するように形成されていることを特徴とするものである。
また、上記目的を達成するための本発明に係るコネクタは、ハウジングに形成された収容室の後方からターミナルを挿入して、該ターミナルを収容室内に係止して装着するコネクタにおいて、前記ターミナルの挿入方向に向かって徐々に狭くなるテーパ面を有した係止突起が前記収容室内の対向する側壁面に設けられ、前記ターミナルの挿入の際に前記テーパ面と摺動して前記挿入方向と直交する方向に可撓する係止板が前記ターミナルの基板から対向して起立した平板状の側板から構成されており、前記ターミナルが所定位置に挿入された際前記係止突起に係合する係止穴を該係止板に穿設し、前記ターミナルを前記収容室に装着した状態で解除機能を有する上端が前記収容室の上部開口から突出するように形成され、前記係止板が内側に倒された際前記ターミナルの基板に当接して前記係止板の弾性限度範囲を越えた倒れを阻止する過剰撓み防止片が前記係止板のそれぞれの側板の一部を内側に折曲して設けられていることを特徴とするものである。
【０００８】
【作用】
ターミナルが収容室の後部から挿入されると、係止板が係止部のテーパ面に当接し、この状態で、ターミナルが更に挿入されると、係止板がテーパ面と摺動され、テーパ面からの反力を受けて弾性変位する。そして、ターミナルが更に挿入され、係止板がテーパ面を通過すると、係止板が弾性力により離反方向に復帰し、係止板が係止部に係止してハウジングからターミナルの抜けが規制される。
また、収容室から突出した解除片が指で挟持されると、係止板と係止部との係止が解除され、特殊な解除治具を用いることなく、ターミナルがハウジングから抜き出し可能となる。
【０００９】
【実施例】
以下、本発明に係るコネクタの好適な実施例を図面を参照して説明する。図１は本発明に係るコネクタの基本構成を示す分解斜視図、図２はターミナルを内部に装着した状態のコネクタの斜視図、図３は図２のＡ−Ａ断面図である。コネクタ４１は、絶縁材料で形成されたハウジング４３と、ばね性を有する導電性金属で形成されたターミナル４５とによって構成される。ハウジング４３にはターミナル４５を収容する収容室４７が並設され、収容室４７の前端は相手コネクタのターミナルを受け入れる挿入開口４９となる。収容室４７の対向する側壁面には両側壁の上下に亘って膨出した係止部５１が形成され、係止部５１は挿入開口４９側の面が側壁面と垂直な係止面５１ａとなる。係止部５１の挿入開口４９と反対側の面にはテーパ面５３が形成され、テーパ面５３はターミナル４５が収容室４７内へ挿入される挿入方向に向かうにしたがって徐々に狭くなるテーパ面となっている。
【００１０】
一方、ターミナル４５の後端には一対の挟着片５５ａ、５５ｂが設けられ、挟着片５５ａ、５５ｂは電線５７を挟持してターミナル４５を電線５７に固定する。ターミナル４５の挟着片５５ａ、５５ｂの前方には導体接続部５９が形成され、導体接続部５９は電線５７の導体５７ａに圧着接続される。ターミナル４５の先端には接触部６１が設けられ、接触部６１は相手コネクタのターミナルと嵌合する。接触部６１と導体接続部５９との間には基板から対向して起立した側板６３、６５を外側に湾曲させた係止板６７が設けられ、係止板６７同士は上端が接近する方向に弾性変位可能となっている。
【００１１】
このように構成されるコネクタ４１では、電線５７の接続されたターミナル４５が収容室４７の後部から前端へ向かって挿入されると、先ず、接触部６１が係止部５１を通過し、その後、係止板６７が係止部５１のテーパ面５３に当接する。この状態で、ターミナル４５が更に挿入されると、係止板６７がテーパ面５３と摺動され、テーパ面５３からの反力を受けて、係止板６７が接近方向に弾性変位する。そして、ターミナル４５が更に挿入され、係止板６７がテーパ面５３を通過すると、係止板６７が弾性力により離反方向に復帰し、図３に示すように、係止板６７の湾曲部分が係止部５１の係止面５１ａに係止し、ハウジング４３からターミナル４５の抜けが規制される。このようにしてターミナル４５が装着されたコネクタ４１では、ハウジング４３の上部開口にカバー７６（図４参照）が被着されることで組み付けが完了する。
【００１２】
このコネクタ４１によれば、一対の起立側板６３、６５で係止板６７を構成し、係止板６７をターミナル４５の挿入方向と直交する方向に撓ませることで、係止を行うようにしたので、従来の基板中央部を切り起こした係止舌片３５（図１３参照）と異なり、小型化に比較的左右されずに係止板６７を大きく形成することができる。この結果、強度、係止力を大きく確保でき、永久歪みの残留や破損を防止することができる。また、係止板６７の起立端面６３ａ、６５ａ（図３参照）を係止面５１ａに当接して係止を行うので、従来のように、係止舌片３５の先端のみを係止するのに比べ、係止面積を増大させることができ、保持力を大きくすることができる。
【００１３】
次に、本発明によるコネクタの第一の実施例を図４〜図６に基づき説明する。図４は第一の実施例によるコネクタの分解斜視図、図５はターミナルを内部に装着した状態の第一の実施例によるコネクタの斜視図、図６は図５のＢ−Ｂ断面図である。この実施例によるコネクタ７１は、上述のコネクタ４１と基本的には同一の構成であるが、係止板６７の上端に解除片７３を延設して、ターミナル７５を形成したことに特徴を有する。従って、その他の部分、即ち、収容室４７、挿入開口４９、係止部５１、挟着片５５ａ、５５ｂ、導体接続部５９、接触部６１は、コネクタ４１と同様のものとなる。
【００１４】
このコネクタ７１では、コネクタ４１と同様の作用により、係止板６７が係止部５１に係止し、ハウジング４３からのターミナル７５の抜けが規制される。この際、係止板６７の上端に設けられた解除片７３は、収容室４７から突出した状態となる。このようにしてターミナル７５が装着されたコネクタ７１は、ハウジング４３の上部開口にカバー７６が被着されることで組み付けが完了する。
【００１５】
コネクタ７１の組み付け後、ターミナル７５を抜き出す必要が生じた際には、ロック部７７ａ、７７ｂを解除してカバー７６をハウジング４３から外し、収容室４７から突出した解除片７３を図６に示すように指で挟持する。解除片７３が挟持されると、係止板６７が接近方向に移動され、係止板６７の起立端面６３ａ、６５ａと係止面５１ａとの係止が解除され、ターミナル７５は、解除片７３を摘んだ状態で反挿入方向へ移動されることにより、ハウジング４３から抜き出されることになる。
【００１６】
この実施例によるコネクタ７１によれば、上述のコネクタ４１と同様に保持力を大きくできるとともに、収容室４７から突出する解除片７３を係止板６７に延設したので、解除片７３を摘むことにより、係止板６７の係止を解除することができ、特殊な解除治具３７（図１３参照）を用いることなく、ターミナル７５とハウジング４３との係止を解除することができる。
また、解除治具が不要となるので、係止解除時、誤って、解除治具を接触部６１へ挿入して接触部６１（特にバネ部）を破損させるようなこともなくなる。
【００１７】
次に、本発明によるコネクタの第二の実施例を図７〜図１０に基づき説明する。図７は第二の実施例によるコネクタの分解斜視図、図８は第二の実施例によるコネクタのターミナルを装着する前後の要部拡大図、図９は第二の実施例によるコネクタのターミナル係止解除時の状態を示す要部断面図、図１０は係止板の拡大図である。
コネクタ８１のハウジング８３にはターミナル８５を収容する収容室４７が並設され、収容室４７の前端は相手コネクタのターミナルを受け入れる挿入開口４９となる。収容室４７の対向する側壁面には係止突起８７が形成され、係止突起８７は挿入開口４９側の面が係止面８７ａとなる。
【００１８】
係止突起８７の挿入開口４９と反対側の面にはテーパ面８９が形成され、テーパ面８９はターミナル８５が収容室４７内へ挿入される挿入方向に向かうにしたがって徐々に狭くなるテーパ面となっている。また、ハウジング８３の上部開口にはカバー７６が被着自在に設けられ、カバー７６はロック部７７ａ、７７ｂを係合することでハウジング８３に固定される。
【００１９】
一方、ターミナル８５の接触部６１と導体接続部５９との間には係止板９１が設けられ、係止板９１は基板から対向して起立した平板状の側板９３、９５から構成される。係止板９１は、ターミナル８５が収容室４７に収容された際、上端９１ａが収容室４７から突出する。係止板９１のそれぞれの側板９３、９５の一部を内側に折曲させて過剰撓み防止片９７が形成され、過剰撓み防止片９７は弾性限度範囲を越えて係止板９１が内側に倒された際、ターミナル８５の基板９９に当接して、係止板９１のそれ以上の倒れを阻止する。また、係止板９１には係止穴１０１が穿設され、係止穴１０１はターミナル８５が所定位置に挿入された際、ハウジング８３の係止突起８７に係止する。
【００２０】
このように構成されるコネクタ８１では、図８（ａ）に示すように、ターミナル８５の組み付け時、ターミナル８５が収容室４７の後部から挿入されると、係止板９１が係止突起８７のテーパ面８９に当接する。この状態で、ターミナル８５が更に挿入されると、係止板９１がテーパ面８９と摺動され、テーパ面８９からの反力を受けて接近方向に弾性変位する。ターミナル８５が更に挿入され、係止板９１の係止穴１０１が係止突起８７と一致すると、弾性力により係止板９１が離反方向に復帰し、図８（ｂ）に示すように、係止穴１０１が係止突起８７に係合した状態となり、ハウジング８３からのターミナル８５の抜けが規制される。
【００２１】
コネクタ８１の組み付け後、ターミナル８５を抜き出す必要が生じた際には、ロック部７７ａ、７７ｂを解除してカバー７６をハウジング８３から外し、次いで、収容室４７の上部開口から突出した係止板９１の上端９１ａを、図９（ａ）に示すように、指で挟持する。係止板９１の上端９１ａが挟持されると、係止板９１が接近方向に移動され、図９（ｂ）に示すように、係止板９１の係止穴１０１が係止突起８７から外れ、係止板９１と係止突起８７との係止が解除される。そして、係止板９１を摘んだ状態でターミナル８５を反挿入方向へ移動すれば、ターミナル８５がハウジング８３から抜き出されることになる。
【００２２】
この際、係止板９１が過剰な力で挟持され、係止板９１が必要以上、即ち、弾性限度範囲を越えて内側に倒されようとすると、過剰撓み防止片９７がターミナル８５の基板９９に当接して、係止板９１のそれ以上の倒れが阻止される。これにより、係止板９１は、弾性限度範囲外での変形が防止され、永久歪みが残ることなく弾性力により元の状態に復帰し、係止突起８７との確実な係合が常に保証されることになる。
【００２３】
また、このコネクタ８１は、従来のように片持ち梁状の係止舌片３５（図１５参照）を有していないので、ターミナル８５の引き抜き作業時に、電線５７が係止舌片３５によって挟まれることがない。更に、係止板９１の上端９１ａに、角部を切除した面取り部１０３（図１０参照）を形成すれば、係止板９１への電線５７の絡まりがより効果的に防止されることになる。
【００２４】
この実施例によるコネクタ８１によれば、一対の側板９３、９５で係止板９１を構成し、係止板９１をターミナル８５の挿入方向と直交する方向に撓ませることで、係止穴１０１と係止突起８７を係合させて係止を行うようにしたので、従来の基板中央部を切り起こした係止舌片３５（図１３参照）と異なり、小型化に比較的左右されずに係止板９１を大きく形成することができる。この結果、強度、係止力を大きく確保でき、永久歪みの残留や破損を防止することができる。
そして、一対の係止穴１０１と係止突起８７を係合させて係止を行うので、従来のように、係止舌片３５の先端のみを係止するのに比べ、係止面積を増大させることができ、保持力を大きくすることができる。
また、収容室４７から突出する係止板９１の上端９１ａを指で挟持することで、係止板９１と係止突起８７との係合を解除できるので、特殊な解除治具３７（図１３参照）を用いることなく、ターミナル８５をハウジング８３から抜き出すことができる。
更に、この実施例によるコネクタ８１によれば、係止解除時に過剰の挟持力が働いた場合、過剰撓み防止片９７がターミナル８５の基板９９に当接し、係止板９１のそれ以上の倒れを阻止するので、係止板９１が弾性限度を越えて変形することがなく、係止板９１の永久歪みを防止することができる。
【００２５】
なお、上述のコネクタ８１では、ハウジング８３に係止突起８７を形成する一方、ターミナル８５の係止板９１に係止穴１０１を穿設し、係止穴１０１と係止突起８７を係合してターミナル８５をハウジング８３に係止する構造としたが、この係止構造の変形例として、係止突起８７をターミナル挿入方向の後方に移設し、係止板９１の起立端面を係止突起８７に直接係止して、ターミナル８５をハウジング８３に係止する構造とすることもできる。このような係止構造とすれば、係止穴１０１の穿設加工を省略することができる。
【００２６】
【発明の効果】
以上詳細に説明したように、本発明に係るコネクタによれば、テーパ面を有する係止部をハウジングに設け、ターミナルの挿入時、テーパ面と摺動して可撓し、係止部に係止する係止板をターミナルに設けたので、従来の基板中央部を切り起こした係止舌片と異なり、小型化に比較的左右されずに係止板を大きく形成することができ、強度、係止力を大きく確保できる。この結果、保持力を大きくすることができる。
また、収容室の上部開口から突出する解除片を係止板に延設すれば、解除片を指で挟持することで、係止板と係止部との係止が解除できるので、特殊な解除治具を用いることなく、ターミナルがハウジングから抜き出し可能となり、解除性を向上させることができる。
【図面の簡単な説明】
【図１】本発明に係るコネクタの基本構成を示す分解斜視図である。
【図２】ターミナルを内部に装着した状態のコネクタの斜視図である。
【図３】図２のＡ−Ａ断面図である。
【図４】本発明の第一の実施例によるコネクタの分解斜視図である。
【図５】ターミナルを内部に装着した状態の第一の実施例によるコネクタの斜視図である。
【図６】図５のＢ−Ｂ断面図である。
【図７】本発明の第二の実施例によるコネクタの分解斜視図である。
【図８】第二の実施例によるコネクタのターミナルを装着する前後の要部拡大図である  。
【図９】第二の実施例によるコネクタのターミナル係止解除時の状態を示す要部断面図  である。
【図１０】係止板の拡大図である。
【図１１】ハウジングを破断した従来コネクタの分解斜視図である。
【図１２】ターミナルの図で（ａ）は正面図（ｂ）は側面図（ｃ）は背面図である。
【図１３】ターミナルの抜き出し前後におけるコネクタの断面図である。
【図１４】従来のコネクタにおけるターミナル解除時の説明図である。
【図１５】従来のコネクタに使用されるターミナルの電線との絡まり状況を示す説明図  である。
【符号の説明】
４１ コネクタ
４３ ハウジング
４５ ターミナル
４７ 収容室
５１ 係止部
５３ テーパ面
６７ 係止板
７３ 解除片
８７ 係止突起
９１ａ 上端
９７ 過剰撓み防止片
９９ 基板
１０１ 係止穴
【図１】
0003761098.tif 000002
【図２】
0003761098.tif 000003
【図３】
0003761098.tif 000004
【図４】
0003761098.tif 000005
【図５】
0003761098.tif 000006
【図６】
0003761098.tif 000007
【図７】
0003761098.tif 000008
【図８】
0003761098.tif 000009
【図９】
0003761098.tif 000010
【図１０】
0003761098.tif 000011
【図１１】
0003761098.tif 000012
【図１２】
0003761098.tif 000013
【図１３】
0003761098.tif 000014
【図１４】
0003761098.tif 000015
【図１５】
0003761098.tif 000016